(57)【特許請求の範囲】
【請求項１】
撮像装置本体に対して格納される格納位置と前記撮像装置本体に対して突出する突出位置とに移動可能なフラッシュと、
前記格納位置で前記フラッシュを係止する係止位置と前記係止を解除する解除位置とに移動可能な係止部材と、
モータと、
撮像素子と、
前記モータの動力が伝達される伝達部材と、
前記伝達部材の回転位置を検知する検知手段と、を有し、
前記係止部材は、前記撮像素子の撮像面に平行な第１の軸回りに回動することで、前記係止位置と前記解除位置との間を回動し、
前記モータは、前記モータの出力軸が前記撮像面に直交する第２の軸方向に延びるように配置され、
前記伝達部材には、シャフト部の一方端に前記モータの動力が伝達される伝達部が形成され、前記シャフト部の他方端に前記係止部材に当接可能な当接部が形成されるとともに、前記伝達部と前記当接部との間に前記検知手段に検知される被検知部が形成され、
前記伝達部材は、前記シャフト部が前記第２の軸方向に延びるように配置され、
前記伝達部材が前記第２の軸回りに回転することで、前記当接部を前記係止部材に当接させ、前記係止部材を前記係止位置から前記解除位置に回動させ、
前記係止部材は、前記モータと前記第１の軸方向に並び、前記伝達部材と前記第２の軸方向に並ぶように配置されることを特徴とする撮像装置。
【請求項２】
前記撮像装置は、前記検知手段からの出力によって前記モータへの通電を制御する制御手段をさらに有し、
前記伝達部材の回転位置によって、前記当接部が前記係止部材に当接する状態と、前記当接部と前記係止部材との当接が解除される状態となり、
前記検知手段は、前記当接部と前記係止部材との当接が解除される状態となるときの前記伝達部材の回転位置を検知し、
前記制御手段は、前記検知手段が前記当接部と前記係止部材との当接が解除される状態となるときの前記伝達部材の回転位置を検知したときに、前記モータへの通電を停止することを特徴とする請求項１に記載の撮像装置。
【請求項３】
前記撮像装置は、シャッター遮光幕をさらに有し、
前記モータが第１の回転方向に回転するときには、前記モータの動力が前記伝達部材に伝達され、前記モータが前記第１の回転方向とは逆方向の第２の回転方向に回転するときには、前記モータの動力によって前記シャッター遮光幕を駆動することを特徴とする請求項１または２に記載の撮像装置。
【請求項４】
前記撮像装置は、シャッター遮光幕と、ミラーユニットと、をさらに有し、
前記モータが第１の回転方向に回転するときには、前記モータの動力が前記伝達部材に伝達され、前記モータが前記第１の回転方向とは逆方向の第２の回転方向に回転するときには、前記モータの動力によって前記シャッター遮光幕および前記ミラーユニットを駆動することを特徴とする請求項１または２に記載の撮像装置。
【発明の詳細な説明】
【技術分野】
【０００１】
本発明は、フラッシュを備える撮像装置に関する。
【背景技術】
【０００２】
近年カメラは小型化、低コスト化が強く望まれている。それに伴い、様々な機能を有するカメラの提案がなされている。フラッシュ内蔵カメラにおいても、自動で突出位置への駆動及び格納位置への駆動を行う機構を備えながら、小型化、低コスト化を実現する提案がなされている。例として特許文献１がある。特許文献１は遊星ギアを用いることで駆動モータの回転方向によって、モータの駆動力を伝達する部分を切替可能である。これにより、１つのモータで必要な駆動力を賄うことができ、デジタル一眼レフカメラを小型化することが可能である。
【特許文献１】特開２００６−２１５３２８公報
【発明の開示】
【発明が解決しようとする課題】
【０００３】
しかしながら、特開２００６−２１５３２８号公報記載の構成では、モータの出力軸が撮像素子の撮像面と平行に配置し、電池格納部の上に配置することで小型化を達成している。よって、電池容量アップや、接点部の信頼性アップのため外形の大きさが長手方向に長くなると、小型化が望めないという問題があった。また、シャッターの駆動効率アップのためにも、モータの出力軸を撮像面と直交する向きに配置させることは適用が困難であり、開示されていない。
【課題を解決するための手段】
【０００４】
本発明の一側面としての撮像装置は、撮像装置本体に対して格納される格納位置と前記撮像装置本体に対して突出する突出位置とに移動可能なフラッシュと、前記格納位置で前記フラッシュを係止する係止位置と前記係止を解除する解除位置とに移動可能な係止部材と、モータと、撮像素子と、前記モータの動力が伝達される伝達部材と、前記伝達部材の回転位置を検知する検知手段と、を有し、前記係止部材は、前記撮像素子の撮像面に平行な第１の軸回りに回動することで、前記係止位置と前記解除位置との間を回動し、前記モータは、前記モータの出力軸が前記撮像面に直交する第２の軸方向に延びるように配置され、前記伝達部材には、シャフト部の一方端に前記モータの動力が伝達される伝達部が形成され、前記シャフト部の他方端に前記係止部材に当接可能な当接部が形成されるとともに、前記伝達部と前記当接部との間に前記検知手段に検知される被検知部が形成され、前記伝達部材は、前記シャフト部が前記第２の軸方向に延びるように配置され、前記伝達部材が前記第２の軸回りに回転することで、前記当接部を前記係止部材に当接させ、前記係止部材を前記係止位置から前記解除位置に回動させ、前記係止部材は、前記モータと前記第１の軸方向に並び、前記伝達部材と前記第２の軸方向に並ぶように配置されることを特徴とする。
【発明の効果】
【０００５】
本発明によれば、モータの出力軸を撮像素子と直交する向きに配置した場合においても、フラッシュの係止部材を駆動する機構を最適に配置することが可能となるため、カメラ全体の大きさを小型化することができる。
【発明を実施するための最良の形態】
【０００６】
以下、本発明の実施例について、図面を参照しながら説明する。
【実施例１】
【０００７】
図１は実施例のデジタル一眼レフカメラの斜視図、図２は本発明を適用したデジタル一眼レフカメラの上面図であり、図３はフラッシュの一部を取り除いた上面図である。図４は本実施例におけるデジタル一眼レフカメラのブロック図である。
【０００８】
図１から図４を用いて本実施例のデジタル一眼レフカメラの動作概略を説明する。
【０００９】
カメラ本体（撮像装置本体）１００の外装部材１０１に設けられた主電源スイッチ１０７がＯＮ位置へ操作されると、カメラマイコン１０は所定のシーケンスによりカメラを起動する。通常、電源がＯＦＦの状態ではフラッシュ１０３は格納位置に配置され、フラッシュ保持部材１２０は係止部材２０１により格納位置に係止されている（図３の状態）。
【００１０】
カメラマイコン１０は操作検出回路１２により操作部材の操作を検出すると、対応する動作を行う。例えば、撮影モードダイヤル１１０が操作され撮影モードが選択されると、選択された撮影モードに対応したシャッタースピードと絞りとの組み合わせを決定するプログラム線図を設定する。また電子ダイヤル１０５が操作されると、露出補正等の設定を行う。ＩＳＯ感度設定ボタン１０６が操作されると、感度条件を設定する。
【００１１】
撮影モードダイヤル１１０で自動設定モードが選択された場合における、フラッシュ１０３が発光する一連の撮影動作を以下に述べる。
【００１２】
操作検出回路１２によりレリーズボタン１０４が第１の位置まで押し込まれたことが検知されると、カメラマイコン１０は撮影条件制御回路１３を動作し、適切なシャッタースピードと絞り値を決定する。そのために、ファインダー近辺に設けられた不図示の測光センサーにより被写体光を測光する。得られた測光結果から被写体光が所定の輝度よりも低いと判断された場合、カメラマイコン１０はモータ制御回路１４を動作し、後述する機構によりフラッシュ１０３を突出位置まで移動させるために係止部材２０１を解除位置へ駆動する。
【００１３】
操作検出回路１２によりレリーズボタン１０４が第２の位置まで押し込まれたことが検知されると、不図示の撮像素子に被写体光が到達するように、カメラマイコン１０はモータ制御回路１４を動作し、ミラーユニット１５３を所定の位置に退避させる。次に、不図示のシャッターを開放し、フラッシュ制御回路１１を動作し、所定のタイミングでフラッシュを発光させ被写体に適切な光を照射させる。
【００１４】
フラッシュ１０３の発光後、カメラマイコン１０はモータ制御回路１４を動作し、所定の時間でシャッターを遮光状態とする。
【００１５】
撮像素子に被写体光が到達した状態でカメラマイコン１０は撮像素子駆動回路１５を動作し、光電変換により被写体光を電子データとして取得する。取得された電子データはデータ処理回路１６により所定の増幅、変換、補正などのデータ処理を施され、撮影画像データとなる。そして、カメラマイコン１０は記録処理回路１７を動作することで、得られた撮影画像データを不図示のメモリーに記録する。
【００１６】
撮影者が画像再生ボタン１１４を操作すると、カメラマイコン１０は再生処理回路１８を動作し、カメラ背面側に設けられた不図示の表示装置にメモリーに保存されている撮影画像を表示させる。
【００１７】
なお、撮影モードダイヤル１１０で自動設定モードが選択された場合を述べたが、他のモードが選択された状態で、フラッシュ・アップボタン１０２が操作されフラッシュ１０３が突出位置に配置された状態であっても、露光動作は同じであり、本発明に限定を与えるものではない。
【００１８】
図５は本発明を適用したデジタル一眼レフカメラの外装部品を取り外した状態である。
【００１９】
ミラーボックス１５１には着脱可能な撮影レンズを取り付けるためのマウント１５５、撮影レンズとの通信を行う通信ユニット１５４が取り付けられている。ミラーボックス１５１の内側には被写体光をファインダーユニット１５２と不図示の測距ユニットとに分離させるためのミラーユニット１５３が回動可能な状態で配置される。
【００２０】
ミラーボックス１５１の紙面左側には電源ユニット１５０、紙面上側にはファインダーユニット１５２、紙面右側にはシャッター遮光幕３０３とミラーユニット１５３とを駆動するための撮影動作駆動ユニット３００が配置される。
【００２１】
フラッシュ１０３を係止または解除するための係止解除ユニット２００はファインダーユニット１５２と撮影動作駆動ユニット３００に配置されたモータ３０１との間に配置される。
【００２２】
図６、図７は撮影動作駆動ユニット３００と係止解除ユニット２００のみを示した斜視図であり、図６はフラッシュ１０３の係止を解除する際のギア配置、図７はシャッター遮光幕３０３とミラーユニット１５３とを駆動する際のギア配置を示している。
【００２３】
図６と図７を用いて本発明の構成を詳しく説明する。
【００２４】
撮影動作駆動ユニット３００にはモータ３０１が出力軸を撮像素子の撮像面と直交する向き（第１の方向）になるように配置されており、連結するギア列も、撮像素子と直交する軸回りに回動可能に保持されている。シャッター遮光幕３０３はミラーボックス１５１後方に配置されており、シャッター遮光幕３０３を駆動する機構はシャッター遮光幕３０３と略同一平面に配置することで効率良く駆動できる。そのため、モータ３０１の駆動部はカメラ背面側に配置してある。モータ３０１の駆動力は不図示のピニオンギアでギア列に伝達される。
【００２５】
モータ３０１の遊星ギア３０４が太陽ギア３０５にギア連結したまま、回動する。それにより、回転方向切替によって、遊星ギア３０４が係止解除ユニット２００に設けられた係止解除ギア２０５にギア連結するか、シャッターまたはミラーギア３０６にギア連結するかが切替る。第１の回転方向で係止解除ユニット２００を駆動し（図６）、第２の回転方向でシャッター遮光幕３０３、ミラーユニット１５３を駆動するミラー駆動レバー３０２を駆動する（図７）。第１の回転方向と第２の回転方向は逆方向の回転である。
【００２６】
係止解除ユニット２００は係止部材２０１、係止解除ユニット保持部材２０２、モータ３０１からの駆動力を伝達する係止解除ギア２０５、係止解除ギア２０５にギア連結し係止部材２０１を解除位置に駆動する伝達部材２０４、係止部材２０１を係止状態に保持するための引っ張りバネ２０６で構成されている。
【００２７】
係止解除ユニット２００の近傍には係止部材２０１が解除位置に回動したことを検知するための検知スイッチ２０３が配置されており、不図示の電気回路により制御可能に構成されている。
【００２８】
図８は外装部材１０１の上側と係止解除ユニット２００を図示した下面図である。
【００２９】
係止解除ユニット２００は図８に示すようにカメラの外装部材１０１の上側にビス止めで固定されている。係止部材２０１の一部が外装部材１０１の上側の不図示の開口部からカメラ外部に突出しており、フラッシュ保持部材１２０を係止可能に配置されている。
【００３０】
図９、図１０は係止解除ユニット２００とフラッシュ保持部材１２０のみを示した側面図である。
【００３１】
図９はフラッシュ１０３が格納位置に係止されている状態であり、図１０は係止部材２０１が解除位置に回動されフラッシュ１０３が突出位置に移動可能になった状態である。
【００３２】
図９と図１０を用いて、係止解除ユニット２００とフラッシュ保持部材１２０との関係を説明する。
【００３３】
フラッシュ保持部材１２０は不図示の突出駆動バネにより所定の突出位置まで回転中心１２０―２を中心に回動可能に構成されている。フラッシュ保持部材１２０の被写体側には係止部材２０１と当接する係止部１２０−１が設けられており、係止部１２０−１と係止部材２０１の係止先端２０１−１とが当接することで、フラッシュ１０３が格納位置に係止される。
【００３４】
係止部材２０１の係止部材バネ掛け部２０１−３に引っ張りバネ２０６が引っ掛けられており第１の軸２０１−４を中心として紙面反時計方向に付勢されている。引っ張りバネ２０６の他端が何処にも引っ掛かっていない絵となっているがバネの自由長を表示したものであり、実際には係止解除ユニット保持部材２０２の保持部材バネ掛け部２０２−１に引っ掛けられている。
【００３５】
係止部材２０１に発生する係止力がフラッシュ１０３が上方に突出する力よりも強ければ、フラッシュ１０３を所定の位置に係止することが可能となる。
【００３６】
係止部材２０１の位置がフラッシュ保持部材１２０の回転中心１２０−２から離れている。被写体側（紙面左側）に配置していると弱い力でフラッシュ１０３を係止することが可能となる。引っ張りバネ２０６を弱くすることが可能となると係止部材２０１を解除位置に駆動する際の消費電力を減らすことが可能となる。また、格納位置へ手動で移動させる際の抵抗も減るために快適な操作性を実現可能となる。よって、極力、被写体側に係止部材２０１を配置することが望ましい。
【００３７】
係止解除ユニット保持部材２０２には、伝達部材２０４が回転可能に保持される。伝達部材２０４のシャフト２０４−４は、脱落防止爪２０２−２に摺動可能に当接しており、伝達部材２０４が脱落することを防止している。
【００３８】
係止部材２０１は、撮像面と平行な第１の軸回りに回動される。伝達部材２０４は、係止解除ギア２０５とギア連結しており、ともにモータ３０１により撮像素子の撮像面と直交する第２の軸回りに駆動される。すなわち、係止部材２０１の回動方向と伝達部材２０４の回転方向は直交する。
【００３９】
係止部材２０１が第１の軸回りに回動されるのは、フラッシュ保持部材１２０に必要な係止部材用逃げ穴１２０−３を確保するためである。もし係止部材２０１が第２の軸回りに回動すると、係止部材用逃げ穴１２０−３を確保するためにフラッシュ１０３のカメラ横方向（左右方向）の大きさを大きくする必要があり、小型化することが困難となる。
【００４０】
図１１は係止部材２０１と伝達部材２０４のみを示す上面図である。
【００４１】
係止部材２０１には第１の軸回りに回動する第１の突起部２０１−２が設けられており、伝達部材２０４の係止部材側先端に第２の軸回りに回転する第２の突起部２０４−２が設けられている。第１の突起部２０１−２（第１の面）と第２の突起部２０４−２（第２の面）とは、所定の位相のみ当接し、所定の位相以外では当接しないように構成されている。この動作については詳細に後述する。
【００４２】
伝達部材２０４には検知スイッチ２０３のＯＮ／ＯＦＦ信号（第１の状態及び第２の状態）を切り替えるための切替部２０４−１が設けられている。この検知スイッチ２０３の出力を検知することでカメラマイコン１０はモータ制御回路１４によりモータ３０１の駆動又は停止を制御する。
【００４３】
第２の突起部２０４−２と切替部２０４−１の間には脱落防止爪２０２−２に当接する摺動可能なシャフト２０４−４、伝達部材２０４のシャフト２０４−４方向の移動を規制する規制部２０４−３が設けられている。規制部２０４−３は外装部材１０１に設けられている規制突起との関係からシャフト２０４−４方向の移動を防止している。
【００４４】
図１２から図１４は係止解除ユニット２００の一部の構成部品のみ示した状態である。
【００４５】
図１２から図１４を用いて第１の突起部２０１−２と、第２の突起部２０４−２と切替部２０４−１との関係を述べる。
【００４６】
図１２は係止解除ユニット２００が駆動されない状態、即ち図７の状態に遊星ギア３０４が配置されているときの状態である。フラッシュ１０３を係止した状態、あるいはフラッシュ１０３が突出位置に突出された状態である。
【００４７】
係止部材２０１が駆動されていない状態では、第１の突起部２０１−２と第２の突起部２０４−２とはカメラ長手方向(左右方向)にお互いに当接しない配置となっている。また、切替部２０４−１は検知スイッチ２０３とカメラ天地方向(上下方向)に離れており、当接しない位置に停止している。
【００４８】
カメラマイコン１０はモータ制御回路１４により検知スイッチ２０３の信号が切替部２０４−１と当接していない第１の状態時のみでモータ３０１を停止させる。検知スイッチ２０３の信号が切替部２０４−１と当接していない第１の状態時のみで停止させることにより不用意に係止部材２０１が回動された状態、すなわち係止位置ではない状態で停止することを防止する。検知スイッチ２０３の信号が切替部２０４−１と当接していない第１の状態時のみで停止させることによりフラッシュ１０３の格納不良を防止することが可能となる。
【００４９】
図１３はモータ３０１が回転を開始し、係止解除ユニット２００が駆動されている状態、即ち図６の状態に遊星ギア３０４が配置されている状態である。係止部材２０１と伝達部材２０４が当接し始めた状態を示している。第１の突起部２０１−２と第２の突起部２０４−２とが当接し始める直前に、切替部２０４−１は検知スイッチ２０３の検知部と当接し始め検知スイッチ２０３の信号を第１の状態のときと異なる信号、第２の状態に切り換える。
【００５０】
図１４は、図１３から更に係止解除ユニット２００が駆動され、係止部材２０１が最大回転位置に駆動された状態である。係止部材２０１が最大回転位置に回動された位置では、フラッシュ１０３の係止解除位置となり、フラッシュ１０３が突出位置に回動可能になった状態である（図１０の状態）。係止部材２０１が最大回転位置に駆動された後に、更に伝達部材２０４が駆動されると、第１の突起部２０１−２と第２の突起部２０４−２との当接状態は終了し、係止部材２０１は引っ張りバネ２０６のバネ力により所定の位置まで回動される。
【００５１】
第１の突起部２０１−２と第２の突起部２０４−２との当接状態が終了しても、所定の角度まで伝達部材２０４が回転するまでは切替部２０４−１は検知スイッチ２０３と当接したままである。すなわち、検知スイッチ２０３の信号は第２の状態のままである。
【００５２】
なお、本実施例では係止部材２０１が駆動されている間に切替部２０４−１が検知スイッチ２０３に当接するものを述べたが、本発明はこれに限定されるものではなく、係止部材２０１が駆動されている間に切替部２０４−１が検知スイッチ２０３に当接しないように構成しても適用可能である。
【００５３】
以上述べてきたように、伝達部材２０４が撮像面と直交する方向に長いシャフト２０４−４を備え、シャフト２０４−４の係止部材側先端に第２の突起部２０４−２、途中に検知スイッチ２０３用の切替部２０４−１を設けていることが本発明の特徴である。
【００５４】
これにより複数の部材を用いることなく被写体側に配置する係止部材２０１とカメラ背面側に配置するギア列とを繋ぐことが可能になるため、省スペースで低コストな係止解除ユニットを構成することが可能となる。
【００５５】
なお、本実施例では、一つのモータでシャッター、ハーフミラー、フラッシュ係止解除を行うものを述べたが、本発明はこれに限定されるものではなく、フラッシュ係止解除を専用のモータで行うものであっても適用可能である。この場合、シャッター、ミラーユニットを駆動するモータは図１０の状態で撮影動作駆動ユニット３００の紙面下側に配置すればよい。
【図面の簡単な説明】
【００５６】
【図１】実施例のデジタル一眼レフカメラの斜視図
【図２】実施例のデジタル一眼レフカメラの上面図
【図３】実施例のデジタル一眼レフカメラの部品を一部省略した上面図
【図４】実施例のデジタル一眼レフカメラのブロック図
【図５】実施例のデジタル一眼レフカメラの外装ユニットを省略した正面図
【図６】実施例のデジタル一眼レフカメラのシャッター・ミラー駆動ユニットと、フラッシュの係止解除を行うユニットの斜視図であり、係止解除ユニットを駆動している状態。
【図７】実施例のデジタル一眼レフカメラのシャッター・ミラー駆動ユニットと、フラッシュの係止解除を行うユニットの斜視図であり、シャッター・ミラー駆動ユニットを駆動している状態
【図８】実施例のデジタル一眼レフカメラの外装部材の上側に係止解除ユニットが取り付いている状態の斜視図
【図９】実施例のデジタル一眼レフカメラの係止解除ユニットとフラッシュ部品の側面図であり、フラッシュが格納状態。
【図１０】実施例のデジタル一眼レフカメラの係止解除ユニットとフラッシュ部品の側面図であり、フラッシュの係止が解除された状態。
【図１１】実施例のデジタル一眼レフカメラの係止部材と伝達部材の上面図
【図１２】実施例のデジタル一眼レフカメラの係止解除ユニットの斜視図であり、係止解除ユニットが駆動されていない状態。
【図１３】実施例のデジタル一眼レフカメラの係止解除ユニットの斜視図であり、係止部材が駆動され始めた状態。
【図１４】実施例のデジタル一眼レフカメラの係止解除ユニットの斜視図であり、係止部材が最大回転位置まで駆動された状態。
【符号の説明】
【００５７】
１０   カメラマイコン
１１   フラッシュ制御回路
１２   操作検出回路
１３   撮影条件制御回路
１４   モータ制御回路
１５   撮像素子駆動回路
１６   データ処理回路
１７   記録処理回路
１８   再生処理回路
１００ デジタル一眼レフカメラ本体
１０１ 外装部材
１０２ フラッシュアップボタン
１０３ フラッシュ
１０４ レリーズボタン
１０５ 電子ダイヤル
１０６ ＩＳＯ感度設定ボタン
１０７ 主電源スイッチ
１０８ 測距点選択ボタン
１０９ ＦＥロックボタン
１１０ 撮影モードボタン
１１１ 視度調製ダイヤル
１１２ 外部フラッシュ接続部
１１３ メニューボタン
１１４ 画像再生ボタン
１２０ フラッシュ保持部材
１２０−１    係止部
１２０−２    回転中心
１２０−３    係止部材用逃げ穴
２００ 係止解除ユニット
２０１ 係止部材
２０２ 係止解除ユニット保持部材
２０３ 検知スイッチ
２０４ 伝達部材
２０５ 係止解除ギア
２０６ 引っ張りバネ
３００ 撮影動作駆動ユニット
３０１ モータ
３０２ ミラー駆動レバー
３０３ シャッター遮光幕
３０４ 遊星ギア
３０５ 太陽ギア
３０６ シャッター/ミラーギア
【図１】
0005183223.tif 000002
【図２】
0005183223.tif 000003
【図３】
0005183223.tif 000004
【図４】
0005183223.tif 000005
【図５】
0005183223.tif 000006
【図６】
0005183223.tif 000007
【図７】
0005183223.tif 000008
【図８】
0005183223.tif 000009
【図９】
0005183223.tif 000010
【図１０】
0005183223.tif 000011
【図１１】
0005183223.tif 000012
【図１２】
0005183223.tif 000013
【図１３】
0005183223.tif 000014
【図１４】
0005183223.tif 000015